(57)【要約】【課題】対向基板の帯電、さらには、素子基板の他方面側に配置した絶縁部材の帯電を確実に防止することのできる電気光学装置および電子機器を提供すること。【解決手段】電気光学装置１００では、支持体９において素子基板１１および対向基板１２の周りを囲む枠部９３と対向基板１２との間には、導電粒子が基質材中に分散した導電物層４０が充填され、かかる導電物層４０は、対向基板１２の第２面１２ｂに形成した表面側導電膜１８に被さっている。このため、導電物層４０を定電位に保持すれば、表面側導電膜１８も導電物層４０を介して定電位に保持されるため、対向基板１２の帯電を防止することができる。【選択図】図６
2010032954.tif 000002
【特許請求の範囲】
【請求項１】
第１の基板と、
前記第１の基板に一方面が対向してなる第２の基板と、
前記第１の基板に対して前記第２の基板が外側となるように前記第１の基板および前記第２基板を保持し、前記第１の基板および前記第２の基板を囲む枠部を有する支持体と、
前記第２の基板の他方面に形成された第１の導電膜と、
前記枠部と、前記第１の基板および前記第２の基板との間に配置され、前記第１の導電膜に導通してなる導電物層と、を備え、
前記第１の導電膜は、前記導電物層を介して定電位に保持されていることを特徴とする電気光学装置。
【請求項２】
前記導電物層は、基質材と、前記基質材中に含まれる複数の導電粒子と、を含む導電性ペーストであることを特徴とする請求項１に記載の電気光学装置。
【請求項３】
前記枠部の内面には切り欠きが形成され、
当該切り欠きによって形成された空隙に前記導電物層が充填されていることを特徴とする請求項１または２に記載の電気光学装置。
【請求項４】
前記第１の基板には、該第１の基板を前記支持体に固定する導電テープが貼付されており、前記導電テープが前記導電物層に接してなることを特徴とする請求項１乃至３の何れか一項に記載の電気光学装置。
【請求項５】
前記第１の基板に接続された配線基板を更に備え、
前記配線基板には定電位に保持された配線が形成されており、
前記導電テープは、前記配線と導通していることを特徴とする請求項４に記載の電気光学装置。
【請求項６】
前記支持体は、定電位に保持された金属ケースを更に備え、
前記第１の基板は、前記導電テープを介して前記金属ケースに貼付されてなることを特徴とする請求項４に記載の電気光学装置。
【請求項７】
前記第１の基板の基材は絶縁基板であり、
前記第１の基板の他方面に形成された第２の導電膜と、
前記第１の基板の他方面側に配置された絶縁部材と、を備え、
前記導電テープは、前記第１の基板の他方面側で前記第２の導電膜に貼付されて当該第２の導電膜と導通していることを特徴とする請求項４乃至６の何れか一項に記載の電気光学装置。
【請求項８】
前記支持体は、定電位に保持された金属ケースを更に備え、
前記金属ケースは、少なくとも一部が前記枠部で内側に向けて露出し、
前記導電物層は、前記露出している部分と導通していることを特徴とする請求項１乃至３の何れか一項に記載の電気光学装置。
【請求項９】
前記第１の基板の基材は絶縁基板であり、
前記第１の基板の他方面に形成された第２の導電膜と、
前記第１の基板の他方面側に配置された絶縁部材と、
前記第１の基板の他方面側で前記第２の導電膜に貼付されて当該第２の導電膜と導通する導電テープと、を具備してなり、
前記導電物層は、前記導電テープと導通していることを特徴とする請求項８に記載の電気光学装置。
【請求項１０】
請求項１乃至９の何れか一項に記載の電気光学装置を備えていることを特徴とする電子機器。
【発明の詳細な説明】
【技術分野】
【０００１】
本発明は、素子基板に対向する面側に配線や電極が形成されていない絶縁性の対向基板を備えた電気光学装置、および該電気光学装置を備えた電子機器に関するものである。
【背景技術】
【０００２】
信号線、画素電極および画素スイッチング素子が形成された素子基板に対向配置された対向基板の側には配線や電極が形成されていない電気光学装置としては、ＩＰＳ(In Plane Switching)方式あるいはＦＦＳ（Fringe Field Switching）方式の液晶装置がある。かかる液晶装置では、素子基板に対して対向基板が外側、すなわち、表示光が出射される側に配置されるため、対向基板が帯電しやすく、かかる帯電は液晶の配向を乱してしまう。そこで、対向基板の外側の面に表面側導電膜を形成するとともに、かかる表面側導電膜を金属製の外枠に接触させてグランド電位に保持し、対向基板が帯電することを防止することが提案されている（特許文献１参照）。
【特許文献１】特開２００５−４３９０１号公報
【発明の開示】
【発明が解決しようとする課題】
【０００３】
しかしながら、対向基板に形成した表面側導電膜を外枠に単に接触させる構成では、表面側導電膜をグランド電位に確実に保持することができないという問題点がある。
【０００４】
次に、透過型あるいは半透過反射型液晶装置では、素子基板の他方面側にバックライト装置の導光板や各種光学シートなどの絶縁部材が重ねて配置されるが、かかる液晶装置において、素子基板に形成した共通電極に所定周波数の共通電位を印加すると、導光板や各種光学シートなどが帯電し、高周波ノイズを発生させるという問題点もある。すなわち、導光板や光学シートの帯電状態が共通電極の電位変化に連動して変化すると、導光板や光学シートが振動し、振動が１０〜２５ｋＨｚの可聴域であると、高周波のノイズ音を発生させてしまうのである。
【０００５】
以上の問題点に鑑みて、本発明の課題は、対向基板の帯電を確実に防止可能な電気光学装置および電子機器を提供することにある。
【０００６】
次に本発明の課題は、対向基板の帯電に加えて、素子基板の他方面側に配置した絶縁部材の帯電を確実に防止することのできる電気光学装置および電子機器を提供することにある。
【課題を解決するための手段】
【０００７】
上記課題を解決するために、本発明に係る電気光学装置では、第１の基板と、前記第１の基板に一方面が対向してなる第２の基板と、前記第１の基板に対して前記第２の基板が外側となるように前記第１の基板および前記第２基板を保持し、前記第１の基板および前記第２の基板を囲む枠部を有する支持体と、前記第２の基板の他方面に形成された第１の導電膜と、前記枠部と、前記第１の基板および前記第２の基板との間に配置され、前記第１の導電膜に導通してなる導電物層と、を備え、前記第１の導電膜は、前記導電物層を介して定電位に保持されていることを特徴とする。本発明において、導電物層は、基質材と、基質材中に含まれる複数の導電粒子と、を含む導電性ペーストを用いることができる。また、本発明においては、内面側に画素電極、当該画素電極に接続されるスイッチング素子、および当該スイッチング素子に接続される配線が形成される素子基板を第１の基板とし、当該素子基板に対向する対向基板を第２の基板とすることができる。もちろん、第１基板として対向基板を用い、第２基板として素子基板を用いても構わない。
【０００８】
本発明において、「電気光学装置」とは、液晶装置や有機エレクトロルミネッセンス装置のように電気信号に基づいて光を変調する装置や、イメージセンサのように、光信号を電気信号に変換する装置のことを意味する。
【０００９】
本発明では、支持体において素子基板および対向基板の周りを囲む枠部と対向基板との間には、導電粒子が基質材中に分散した導電物層が充填され、かかる導電物層は、対向基板の他方面に形成した第１の導電膜と導通している。このため、導電物層を定電位に保持すれば、第１の導電膜も導電物層を介して定電位に保持されるため、第２の基板の帯電を防止することができる。ここで、導電物層は、導電粒子が基質材中に分散した層であり、導電ペーストを塗布した後、固化させることにより形成できるので、第１の導電膜と導電物層とを確実に導通させることができるとともに、導電物層を第２の基板と枠部との間隙や間隙の奥で、定電位に保持された他の部材に容易かつ確実に導通させることができる。それ故、対向基板の帯電を確実に防止することができる。
【００１０】
本発明において、前記枠部の内面には切り欠きが形成され、該切り欠きによって形成された空隙に前記導電物層が充填されていることが好ましい。このように構成すると、支持体の枠部と第２の基板との間に十分な量の導電物層（導電ペースト）を充填することができる。従って、第２の基板と枠部との間隙や間隙の奥で、定電位に保持された他の部材に導電物層を確実に導通させることができる。
【００１１】
本発明において、前記第１の基板には、該第１の基板を前記支持体に固定する導電テープが貼付されており、前記導電テープが前記導電物層に接してなることが好ましい。第１の基板の他方面側には、フレキシブル基板などの配線基板が存在するので、かかる第１の基板の他方面側に、導電物層に接する導電テープを配置すれば、配線基板などを介して導電テープを定電位に保持でき、その結果、導電テープを介して表面側導電膜を定電位に保持することができる。
【００１２】
本発明においては、前記第１の基板に接続された配線基板を更に備え、前記配線基板には定電位に保持された配線が形成されており、前記導電テープは、前記配線と導通している構成を採用することができる。
【００１３】
本発明において、前記支持体は、定電位に保持された金属ケースを更に備え、前記第１の基板は、前記導電テープを介して金属ケースに貼り付けされてなる構成を採用してもよい。
【００１４】
本発明において、前記第１の基板の基材は絶縁基板であり、前記第１の基板の他方面に形成された第２の導電膜と、前記第１の基板の他方面側に配置された絶縁部材と、を備え、前記導電テープは、前記第１の基板の他方面側で前記第２の導電膜に貼付されて当該第２の導電膜と導通している構成を採用することができる。このように構成すると、第１の導電膜を定電位に保持するのに用いた導電テープを用いて、第１の基板の他方面に形成した第２の導電膜を定電位に保持でき、絶縁部材が帯電することを防止することができる。
【００１５】
本発明において、前記支持体は、定電位に保持された金属ケースを更に備え、前記金属ケースは、少なくとも一部が前記枠部で内側に向けて露出し、前記導電物層は、前記露出している部分と導通している構成を採用してもよい。このように構成すると、金属ケースを介して導電物層を定電位に保持でき、導電物層を介して第１の導電膜を定電位に保持することができる。
【００１６】
この場合も、前記第１の基板の基材は絶縁基板であり、前記第１の基板の他方面に形成された第２の導電膜と、前記第１の基板の他方面側に配置された絶縁部材と、
前記第１の基板の他方面側で前記第２の導電膜に貼付されて当該第２の導電膜と導通する導電テープと、を具備してなり、前記導電物層は、前記導電テープと導通していることが好ましい。このように構成すると、第１の導電膜を定電位に保持するための導電物層を介して導電テープを定電位に保持でき、第１の基板の他方面に形成した第２の導電膜を定電位に保持できる。それ故、絶縁部材が帯電することを防止することができる。
【００１７】
本発明を適用した電気光学装置は、モバイルコンピュータ、携帯電話、カーナビゲーション、パーソナルコンピュータなどの電子機器に用いられる。
【発明を実施するための最良の形態】
【００１８】
図面を参照して、本発明の実施の形態を説明する。なお、以下の説明で参照する図においては、各層や各部材を図面上で認識可能な程度の大きさとするため、各層や各部材毎に縮尺を異ならしめてある。
【００１９】
［実施の形態１］
（電気光学装置の全体構成）
図１および図２は各々、本発明の実施の形態１に係る電気光学装置の平面図および分解斜視図である。図３（ａ）、（ｂ）は各々、本発明の実施の形態１に係る電気光学装置を、図１のＡ１−Ａ１′線、およびＢ１−Ｂ１′線に相当する位置で切断したときの様子を模式的に示す断面図である。図４（ａ）、（ｂ）は各々、本発明の実施の形態１に係る電気光学装置を、図１のＣ１−Ｃ１′線、およびＤ１−Ｄ１′線に相当する位置で切断したときの様子を模式的に示す断面図である。なお、図１には、後述する導電テープの貼付範囲を右下がりの斜線が３本一組になって付されている領域として示してある。
【００２０】
図１および図２に示すように、本形態の電気光学装置１００（液晶装置）は、透過型あるいは半透過反射型の液晶パネル１と、この液晶パネル１の背面側に配置された照明装置８とを有しており、照明装置８および液晶パネル１は支持体９に保持されている。支持体９は、矩形枠状の樹脂ケース９１と、この樹脂ケース９１を外側で保持する箱状の金属ケース９２とからなる。樹脂ケース９１は、４つの側板部９１７のうち、フレキシブル基板７の引き出し側に位置する１つの側板部９１７に凹部９１４が形成され、残り３つの側板部９１７の内側に、液晶パネル１を上面で受ける段部９１１が形成されている。なお、樹脂ケース９１において、フレキシブル基板７の引き出し側に位置する側板部９１７近傍は、段部９１１の途切れ部分９１５になっており、段部９１１が形成されていない。金属ケース９２は、矩形の底板部９２５と、底板部９２５の外縁で起立する４つの側板部９２７とを備えており、フレキシブル基板７の引き出し側に位置する１つの側板部９２７には、樹脂ケース９１の凹部９１４と重なる位置に凹部９２４が形成されている。かかる金属ケース９２はグランド電位に保持されている。このように構成した樹脂ケース９１および金属ケース９２において、側板部９１７、９２７は互いに重なって液晶パネル１の周りを囲む枠部９３を構成している。
【００２１】
液晶パネル１は、素子基板１１（第１の基板)と、この素子基板１１の第１面１１ａ（素子基板１１の一方面）に対向配置された対向基板１２（第２の基板）と、基板周縁部で素子基板１１と対向基板１２とを貼り合わせる矩形枠状のシール材１３とを備えており、素子基板１１、対向基板１２およびシール材１３により形成された空間内に保持された電気光学物質としての液晶１４が保持されている。また、素子基板１１は、対向基板１２の端部より突出する張り出し領域１１８を備えている。本形態において、素子基板１１および対向基板１２はいずれも、基体がガラスなどの透光性の絶縁基板１１０、１２０であり、素子基板１１に対して対向基板１２が外側（表示光が出射される側）に位置するように支持体９に保持されている。
【００２２】
素子基板１１において対向基板１２に対向する第１面１１ａ上には島状のＩＴＯ（Indium Tin Oxide）膜やＩＺＯ（Indium Zinc Oxide）膜からなる画素電極１６や、画素スイッチング素子、走査線やデータ線などの信号線（図示せず）などが形成され、画素電極１６を覆うようにポリイミドなどからなる配向膜（図示せず）が形成されている。
【００２３】
本形態において、液晶パネル１は、ＩＰＳ方式やＦＦＳ方式の液晶パネルであり、横電界により液晶１４を駆動する。従って、素子基板１１にはＩＴＯ膜やＩＺＯ膜からなる共通電極１７も形成されている。このため、対向基板１２において素子基板１１と対向する第１面１２ａ（対向基板１２の一方面）には、共通電極１７が形成されておらず、他の電極や配線なども形成されていない。なお、対向基板１２の第１面１２ａには配向膜（図示せず）が形成されているが、かかる配向膜は絶縁膜である。また、対向基板１２の第１面１２ａには内面位相差層やカラーフィルタ層（図示せず）などが形成されることもあるが、これらの層も絶縁層である。
【００２４】
ＩＰＳ方式の場合、画素電極１６と共通電極１７が横方向で対向する構成が採用され、ＦＦＳ方式の場合、画素電極１６および共通電極１７は誘電体膜を挟んで上下の異なる層に形成される構成が採用されるが、本形態で参照する図面では、ＦＦＳ方式の場合もＩＰＳ方式と同様、画素電極１６と共通電極１７が横方向で対向するように模式的に示してある。
【００２５】
かかる液晶パネル１において、対向基板１２では、素子基板１１と対向する第１面１２ａとは反対側の第２面１２ｂ（対向基板１２の他方面）に上側偏光板１５ａが重ねて配置され、素子基板１１では、対向基板１２と対向する第１面１１ａとは反対側の第２面１１ｂ（素子基板１１の他方面）に下側偏光板１５ｂが重ねて配置されている。
【００２６】
ここで、対向基板１２の第２面１２ｂには、対向基板１２の帯電を防止することを目的に、第２面１２ｂの全面および略全面にＩＴＯ膜やＩＺＯ膜などからなる透光性の表面側導電膜１８（第１の導電膜）が形成されている。かかる表面側導電膜１８は、詳しくは後述する構成によって、定電位（本形態ではグランド電位）に保持されている。
【００２７】
このように構成した電気光学装置１００では、照明装置８から出射された光が素子基板１１の側から入射し、かかる入射光を光変調して対向基板１２の側から出射して画像を表示する。
【００２８】
図１、図２および図３（ａ）、（ｂ）に示すように、素子基板１１の張り出し領域１１８には、駆動用ＩＣ９８が異方性導電フィルムなどにより実装されており、張り出し領域１１８の端部に形成された端子１９０には、配線基板としてのフレキシブル基板７の本体部分７８に形成された端子７４１が接続されている。このため、外部から供給される各種信号や電源を、フレキシブル基板７を介して液晶パネル１に入力することができる。
【００２９】
フレキシブル基板７では、その本体部分７８から帯状部分７２が延びており、かかる帯状部分７２の先端部には、長手方向を液晶パネル１の幅方向に向けた光源実装部７１が形成されている。かかる光源実装部７１には、光源実装端子７５１が形成されており、光源実装端子７５１には、照明装置８の点状光源３が実装されている。従って、点状光源３には、フレキシブル基板７を介して光源駆動用電圧が供給される。なお、フレキシブル基板７において、点状光源３が実装されている面側には、表面実装型のキャパシタなど電子部品３５も実装されている。
【００３０】
フレキシブル基板７は多層基板あるいは両面基板であり、光源実装部７１を点状光源３が実装されている側とは反対側からみたとき、光源実装端子７５１と平面視で重なる領域には、光源実装端子７５１との間にポリイミド層などの絶縁層７０が介在する導電パターン７４２が形成されている。かかる導電パターン７４２はベタのグランドパターンであり、所定領域にわたって間隙なく一面に形成されている。このため、導電パターン７４２は、点状光源３に対する遮光用、電磁シールド用、あるいは放熱用に利用される。フレキシブル基板７において、導電パターン７４２および端子７４１は、フレキシブル基板７のフィルム基材からなる絶縁層７０の一方面側に形成され、光源実装端子７５１は絶縁層７０の他方面側に形成されている。本形態において、点状光源３は表面実装型の白色ＬＥＤであり、フレキシブル基板７の光源実装部７１の面に対して平行な方向に出射光軸Ｌを向けて所定の間隔で複数、実装されている。
【００３１】
（照明装置８の全体構成）
照明装置８は、液晶パネル１の素子基板１１に光放出面である第１面６ａを向ける略矩形の導光板６と、導光板６の端部６ｅに沿うように配置された白色ＬＥＤからなる複数の点状光源３と、導光板６において第１面６ａとは反対側の第２面６ｂに重ねて配置された反射シート２７と、導光板６の第１面６ａに重ねて配置された複数枚の光学シートとを有している。本形態では、かかる複数枚の光学シートとして、導光板６の側から液晶パネル１に向かって、矩形状の散乱板２３、矩形状のプリズムシート２４、矩形状のプリズムシート２５、矩形状の散乱板２６が順に重ねて配置されている。導光板６は、点状光源３から出射された光を液晶パネル１の面内に均一に照射するためのものであり、アクリル樹脂やポリカーボネートなどの透光性材料からなる。散乱板２３、２６は、表示画面内の光の輝度をより均一化させるためのものである。プリズムシート２４、２５は、出射光の配向角を調整し、正面の輝度を向上させるためのものである。
【００３２】
導光板６の端部６ｅには、その辺に沿って所定の間隔に切り欠き状の光源配置穴６１が形成されており、その内壁の１つが、点状光源３から出射された光が入射する光入射部６１ａになっている。従って、フレキシブル基板７において、光源実装部７１の点状光源３が実装されている側の面が下向きとなるように帯状部分７２を折り曲げて、導光板６の端部６ｅにおいて第１面６ａの側に光源実装部７１を重ねると、複数の点状光源３は各々、光出射面３ａを光入射部６１ａに向けて光源配置穴６１に配置される。その際、導光板６の端部６ｅに沿って、下面に粘着剤層が形成された遮光シート２９が貼られ、遮光シート２９の上面には両面テープ２１が配置される。このため、フレキシブル基板７の光源実装部７１は、両面テープ２１および遮光シート２９を介して導光板６の端部６ｅに固定される。遮光シート２９には、導光板６の光源配置穴６１と平面視で重なる位置に矩形の開口部２９１が形成されている。このため、遮光シート２９の上にフレキシブル基板７の光源実装部７１を重ねると、開口部２９１を介して複数の点状光源３が各々、光源配置穴６１に配置される。
【００３３】
（対向基板１２の帯電対策）
図５（ａ）、（ｂ）は各々、本発明の実施の形態１に係る電気光学装置を、図１のＥ１−Ｅ１′線、およびＦ１−Ｆ１′線に相当する位置で切断したときの様子を模式的に示す断面図である。図６（ａ）、（ｂ）は各々、本発明の実施の形態１に係る電気光学装置を、図１のＥ２−Ｅ２′線、およびＦ２−Ｆ２′線に相当する位置で切断したときの様子を模式的に示す断面図である。
【００３４】
本形態の電気光学装置１００において、対向基板１２は基体が透光性の絶縁基板１２０からなり、対向基板１２の第１面１２ａには電極などが形成されていない。しかも、対向基板１２は外側に配置されているので、帯電した指が接近すると帯電し、液晶１４の配向を乱して画像品位を低下させる。
【００３５】
そこで、対向基板１２の第２面１２ｂには、その全面および略全面にＩＴＯ膜やＩＺＯ膜などからなる透光性の表面側導電膜１８が形成されており、かかる表面側導電膜１８は、以下に説明する構成によって、定電位（本形態ではグランド電位）に保持されている。
【００３６】
まず、本形態では、図１、図２、図３（ａ）、（ｂ）、図４（ｂ）、図５（ａ）、（ｂ）、図６（ａ）、（ｂ）に示すように、素子基板１１の第２面１１ｂでは、素子基板１１の３つの辺に沿うように導電テープ２８が貼付されている。導電テープ２８は、導電性粘着剤層を金属フィルムの両面に形成した両面テープであり、一方の面が素子基板１１の第２面１１ｂに接着しているとともに、素子基板１１の張り出し領域１１８の裏面側で、フレキシブル基板７の光源実装部７１に形成された導電パターン７４２（グランドパターン）に接着している。このため、導電テープ２８は、常にグランド電位（定電位）に保持される。かかる導電テープ２８では、金属フィルムとして、例えば、導電性粘着剤層として、銅、ニッケル、それらの合金、あるいはカーボンなどの導電性粉体を粘着剤に分散させたが層が用いられ、金属フィルムとしては、銅、ニッケル、ステンレス、アルミニウムあるいはそれらの合金などといった金属製のフィルムが用いられる。
【００３７】
また、図４（ｂ）、図５（ａ）、（ｂ）および図６（ａ）、（ｂ）に示すように、導電テープ２８は、素子基板１１を樹脂ケース９１に固定する機能も担っている。すなわち、導電テープ２８の一方の面は、素子基板１１の第２面１１ｂに接着しているとともに、導電テープ２８の他方の面は、樹脂ケース９１の内側に形成した段部９１１の上面にも接着している。
【００３８】
本形態において、導電テープ２８は、図１および図２に示すように、素子基板１１の第２面１１ｂにおいて、張り出し領域１１８が位置する一方の端部を除く３辺に沿う３つの帯状部分２８ａ、２８ｂ、２８ｃからなり、隣接する帯状部分２８ａ、２８ｃ同士、および隣接する帯状部分２８ｂ、２８ｃは繋がっている。このため、導電テープ２８は、帯状部分２８ａ、２８ｂ、２８ｃが一体に繋がった１枚のテープからなる。ここで、素子基板１１の第２面１１ｂには下側偏光板１５ｂが接着されている。そこで、下側偏光板１５ｂについては、導電テープ２８で囲まれた領域内に配置できる大きさに設定してあり、導電テープ２８は、素子基板１１の第２面１１ｂにおいて下側偏光板１５ｂの周りを囲むように配置されている。従って、素子基板１１の第２面１１ｂに導電テープ２８を貼付しても、素子基板１１の第２面１１ｂと下側偏光板１５ｂとの間には無用な間隙が発生しない。なお、導電テープ２８は、３つの帯状部分２８ａ、２８ｂ、２８ｃが各々、分割されている構成であってもよく、少なくとも素子基板１１の１辺に沿うように配置されていることが好ましい。
【００３９】
また、本形態においては、図１および図２に示すように、支持体９において、枠部９３の内面を構成する樹脂ケース９１の側板部９１７の内面には、その上面から段部９１１の上面に到達する位置まで溝状の切り欠き９１７ａが複数形成されており、かかる複数の切り欠き９１７ａの内部（素子基板１１および対向基板１２と枠部９３との間）には導電物層４０が充填されている。かかる導電物層４０は、カーボン粒子などの導電粒子を、樹脂やゴムなどの基質材とともに溶剤中に分散させた導電ペーストを塗布後、固化させたもので、カーボン粒子などの導電粒子が樹脂やゴムなどの基質材中に分散した状態にある。
【００４０】
本形態では、樹脂ケース９１の４つの側板部９１７のうち、長辺に相当する２つの側板部９１７の各々に切り欠き９１７ａが略等しい間隔で形成されており、切り欠き９１７ａが形成されていない部分では、素子基板１１および対向基板１２と枠部９３との間隙に導電物層４０は充填されていない。本形態において、切り欠き９１７ａは、平面視において円弧状に形成されている。なお、導電物層４０が充填された切り欠き９１７ａは、少なくとも１つ形成されていればよく、短辺に相当する側板部９１７に形成してもよい。なお、素子基板１１および対向基板１２と枠部９３との間に十分な間隙がある場合、切り欠き９１７ａの形成を省略することもある。
【００４１】
ここで、導電物層４０は、対向基板１２の第２面１２ｂの側の端部に被さるように形成されている。かかる対向基板１２の第２面１２ｂの側では、その縁まで表面側導電膜１８が形成されているのに対して、上側偏光板１５ａは、表面側導電膜１８の形成領域よりサイズが小さく、表面側導電膜１８が上側偏光板１５ａの縁部から露出した状態にある。従って、導電物層４０は、表面側導電膜１８の表面および側端面に接して表面側導電膜１８と導通している。
【００４２】
また、導電物層４０は、素子基板１１と枠部９３との間まで充填されており、切り欠き９１７ａの底部において、導電物層４０は導電テープ２８の上面および側端面に接し、導通している。このため、導電物層４０は、導電テープ２８を介してグランド電位（定電位）に保持され、表面側導電膜１８は、導電物層４０を介してグランド電位（定電位）に保持されている。
【００４３】
なお、本形態では、枠部９３の最上位置は、液晶パネル１よりも高い位置にあるため、導電ペーストを塗布した際、導電ペーストが外側に溢れることがない。また、導電物層４０の上面は、上側偏光板１５ａの厚さ方向の途中位置にあって、上側偏光板１５ａに大きく被さってはいない。
【００４４】
（電気光学装置１００の組み立て方法）
本形態の電気光学装置１００を組み立てるには、まず、液晶パネル１とする前あるいは液晶パネル１とした後の対向基板１２の第２面１２ｂに表面側導電膜１８を形成しておく。その際、表面側導電膜１８を成膜する際の温度やプラズマの影響を避けるという観点から、液晶パネル１とする前に対向基板１２の第２面１２ｂに表面側導電膜１８を形成しておくことが好ましい。次に、液晶パネル１の両面に上側偏光板１５ａおよび下側偏光板１５ｂを接着しておく。
【００４５】
また、樹脂ケース９１の内側に導光板６や、光学シート（散乱板２３、２６、プリズムシート２４、２５）を積層した後、導光板６の端部６ｅを覆うように遮光シート２９を重ねる。次に、遮光シート２９の上に両面テープ２１を貼る。次に、フレキシブル基板７において、光源実装部７１の点状光源３が実装されている側の面が下向きとなるように帯状部分７２を折り曲げて、導光板６の端部６ｅにおいて第１面６ａに光源実装部７１を重ねる。そして、光源実装部７１を両面テープ２１に押し付け、光源実装部７１を両面テープ２１および遮光シート２９を介して導光板６の端部６ｅに固定する。
【００４６】
その結果、照明装置８が完成するので、その上に、両面に上側偏光板１５ａおよび下側偏光板１５ｂを貼った液晶パネル１を重ねれば、樹脂ケース９１によって照明装置８および液晶パネル１が支持された状態となる。従って、樹脂ケース９１を金属ケース９２の内側に収納すれば、電気光学装置１００の組み立てが完了する。その際、樹脂ケース９１の段部９１１の上面に導電テープ２８を接着しておくとともに、導電テープ２８の端部をフレキシブル基板７の導電パターン７４２に接着しておく。そして、樹脂ケース９１の段部９１１の上面に液晶パネル１を載置すれば、液晶パネル１において素子基板１１の第２面１１ｂに導電テープ２８が接着されることになる。
【００４７】
しかる後には、樹脂ケース９１の側板部９１７に形成した切り欠き９１７ａに導電ペーストを塗布、充填した後、固化させて導電物層４０を形成する。その結果、電気光学装置１００が完成する。
【００４８】
（本形態の主な効果）
以上説明したように、本形態では、支持体９において素子基板１１および対向基板１２の周りを囲む枠部９３と対向基板１２との間には、導電粒子がマトリクス中に分散した導電物層４０が充填され、かかる導電物層４０は、対向基板１２の第２面１２ｂに形成した表面側導電膜１８に被さって表面側導電膜１８と導通している。このため、導電物層４０を定電位に保持すれば、表面側導電膜１８も導電物層４０を介して定電位に保持されるため、対向基板１２の帯電を防止することができる。ここで、導電物層４０は、導電粒子がマトリクス中に分散した層であり、導電ペーストを塗布した後、固化させることにより形成できるので、表面側導電膜１８と導電物層４０とを確実に導通させることができる。また、導電ペーストを塗布した後、固化させてなる導電物層４０を対向基板１２と枠部９３との間隙の奥で、定電位に保持された導電テープ２８と容易かつ確実に導通させることができる。
【００４９】
また、本形態では、枠部９３の内面には、枠部９３と対向基板１２との間隙幅を局所的に拡大する切り欠き９１７ａが形成され、かかる切り欠き９１７ａの内部に導電物層４０が充填されている。このため、支持体９の枠部９３と対向基板１２との間に十分な量の導電物層４０（導電ペースト）を充填することができる。従って、対向基板１２と枠部９３との間隙の奥で、定電位に保持された導電テープ２８に導電物層４０を確実に導通させることができる。
【００５０】
また、本形態では、導電テープ２８を直接、フレキシブル基板７の導電パターン７４２に接着するため、狭いスペース内で表面側導電膜１８をグランド電位に保持することができるとともに、専用の導電ケーブルを用いる必要がない。
【００５１】
また、導電テープ２８は、両面に導電性の接着剤層が形成された両面テープであって、素子基板１１（絶縁基板１１０）と支持体９（樹脂ケース９１）との固定にも用いられているため、素子基板１１（絶縁基板１１０）と支持体９（樹脂ケース９１）との固定に別途、両面テープを用いる必要がないという利点がある。
【００５２】
［実施の形態２］
図７は、本発明の実施の形態２に係る電気光学装置の分解斜視図である。図８（ａ）、（ｂ）は各々、本発明の実施の形態２に係る電気光学装置を、図１のＡ１−Ａ１′線、およびＢ１−Ｂ１′線に相当する位置で切断したときの様子を模式的に示す断面図である。なお、本形態の基本的な構成は、実施の形態１と同様であるため、共通する部分には同一の符号を付して図示し、それらの説明を省略する。
【００５３】
図７および図８に示す電気光学装置１００でも、実施の形態１において図１、図４（ｂ）および図６（ａ）、（ｂ）などを参照して説明したように、支持体９において素子基板１１および対向基板１２の周りを囲む枠部９３と対向基板１２との間には、導電粒子がマトリクス中に分散した導電物層４０が充填されている。かかる導電物層４０は、対向基板１２の第２面１２ｂに形成した表面側導電膜１８に導通しているとともに、素子基板１１の第２面１１ｂ側に貼付した導電テープ２８に導通している。また、導電テープ２８は、フレキシブル基板７に形成された導電パターン７４２（グランドパターン）にも接着している。このため、表面側導電膜１８をグランド電位に保持できるので、対向基板１２の帯電を防止することができる。
【００５４】
また、本形態では、以下に説明するように、導電テープ２８を利用して、散乱板２６、プリズムシート２５、プリズムシート２４、散乱板２３、あるいは導光板６の帯電に起因する高周波のノイズ音の発生を防止する。
【００５５】
まず、本形態では、素子基板１１の第２面１１ｂには、その全面あるいは略全面に、帯電防止用導電膜として、ＩＴＯ膜などの導電性透光膜からなる裏面側導電膜１９（第２の導電膜）が形成されている。また、素子基板１１の第２面１１ｂの側において、導電テープ２８は、裏面側導電膜１９に対して、素子基板１１の３つの辺に沿うように貼付されている。本形態でも、導電テープ２８は、導電性粘着剤層を金属フィルムの両面に形成した両面テープである。このため、裏面側導電膜１９は、導電テープ２８を介してグランド電位（定電位）に保持される。従って、絶縁基板１１０および絶縁部材（下側偏光板１５ｂ、散乱板２６、プリズムシート２５、プリズムシート２４、散乱板２３、導光板６）が帯電することを防止することができる。
【００５６】
また、導電テープ２８が裏面側導電膜１９の広い範囲にわたって貼付されているので、裏面側導電膜１９のシート抵抗が高い場合でも、裏面側導電膜１９全体を確実に定電位に保持することができる。従って、絶縁基板１１０および絶縁部材（下側偏光板１５ｂ、散乱板２６、プリズムシート２５、プリズムシート２４、散乱板２３、導光板６）が帯電することを確実に防止することができるので、共通電極１７に所定周波数の共通電位を印加した場合でも、絶縁部材（下側偏光板１５ｂ、散乱板２６、プリズムシート２５、プリズムシート２４、散乱板２３、導光板６）が帯電して振動することがない。それ故、高周波ノイズの発生を確実に防止することができる。
【００５７】
［実施の形態１、２の変形例］
図９、図１０および図１１は各々、本発明の実施の形態２の変形例１、２、３に係る電気光学装置において、導電テープ２８とフレキシブル基板７との接続構造を示す断面図であり、いずれも図１のＤ１−Ｄ１′線に相当する位置で電気光学装置を切断したときの断面図に相当する。なお、本形態の基本的な構成は、実施の形態１と同様であるため、共通する部分には同一の符号を付して図示し、それらの説明を省略する。
【００５８】
図９に示す電気光学装置１００でも、実施の形態２と同様、素子基板１１の第２面１１ｂでは、裏面側導電膜１９に対して、素子基板１１の３つの辺に沿うように導電テープ２８が貼付されている。ここで、フレキシブル基板７の光源実装部７１には、図３（ａ）、（ｂ）および図４（ａ）を参照して説明した点状光源３が実装されている面と同一の面側に導電パターン７５２（グランドパターン）が形成されており、かかる導電パターン７５２に、導電テープ２８の一方の面が接着している。その他の構成は、実施の形態１、２と同様であるため、説明を省略する。
【００５９】
図１０に示す電気光学装置１００でも、実施の形態２と同様、素子基板１１の第２面１１ｂでは、裏面側導電膜１９に対して、素子基板１１の３つの辺に沿うように導電テープ２８が貼付されている。ここで、フレキシブル基板７の本体部分７８には、端子７４１と同一の面側に導電パターン７８２（グランドパターン）が形成されており、かかる導電パターン７８２に、導電テープ２８の一方の面が接着している。その他の構成は、実施の形態１、２と同様であるため、説明を省略する。
【００６０】
図１１に示す電気光学装置１００でも、実施の形態２と同様、素子基板１１の第２面１１ｂでは、裏面側導電膜１９に対して、素子基板１１の３つの辺に沿うように導電テープ２８が貼付されている。ここで、金属ケース９２はグランド電位に保持されており、かかる金属ケース９２の側板部９２７の一部は、樹脂ケース９１の凹部９１４から直接、内側に露出している構成になっている。そこで、本形態では、金属ケース９２の側板部９２７の内面側に導電テープ２８の一方の面を接着してある。その他の構成は、実施の形態１、２と同様であるため、説明を省略する。
【００６１】
以上の変形例は実施の形態２をベースに、図９〜図１１に示す構成を適用した例であるが、実施の形態１をベースに、図９〜図１１に示す構成を適用してもよい。
【００６２】
［実施の形態３］
図１２および図１３は各々、本発明の実施の形態３に係る電気光学装置の平面図および分解斜視図である。図１４（ａ）、（ｂ）は各々、本発明の実施の形態３に係る電気光学装置を、図１２のＥ４−Ｅ４′線、およびＦ４−Ｆ４′線に相当する位置で切断したときの様子を模式的に示す断面図である。なお、本形態の基本的な構成は、実施の形態１と同様であるため、共通する部分には同一の符号を付して図示し、それらの説明を省略する。
【００６３】
図１〜図４を参照して説明したように、本形態の電気光学装置１００において、対向基板１２は基体が透光性の絶縁基板１２０からなり、対向基板１２の第１面１２ａには電極などが形成されていない。しかも、対向基板１２は外側に配置されているので、帯電した指が接近すると、対向基板１２が帯電し、液晶１４の配向を見出し、画像品位を低下させる。そこで、対向基板１２の第２面１２ｂには、その全面および略全面にＩＴＯ膜やＩＺＯ膜などからなる透光性の表面側導電膜１８が形成されており、かかる表面側導電膜１８は、以下に説明する構成によって、定電位（本形態ではグランド電位）に保持されている。
【００６４】
まず、本形態では、図１２、図１３、図１４（ａ）、（ｂ）に示すように、素子基板１１の第２面１１ｂでは、素子基板１１の３つの辺に沿うように両面テープ２２が貼付されているが、かかる両面テープは導電テープではなく、遮光性をもった絶縁テープである。かかる両面テープ２２は、素子基板１１を樹脂ケース９１に固定する機能を担っている。
【００６５】
また、支持体９において、枠部９３の内面を構成する樹脂ケース９１の側板部９１７には、実施の形態１と同様、その上面から段部９１１の上面に到達する位置まで切り欠き９１７ｃが複数、形成されている。ここで、切り欠き９１７ｃは、側板部９１７を厚さ方向（内外方向）に貫通しており、切り欠き９１７ｃの内部では、金属ケース９２の側板部９２７が露出している。
【００６６】
かかる複数の切り欠き９１７ａの内部（素子基板１１および対向基板１２と枠部９３との間隙）には導電物層４０が充填されている。かかる導電物層４０は、実施の形態１と同様、導電ペーストを塗布後、固化させたもので、カーボン粒子などの導電粒子が樹脂やゴムなどのマトリクス中に分散した状態にある。本形態では、樹脂ケース９１の４つの側板部９１７のうち、長辺方向に位置する２つの側板部９１７の各々に切り欠き９１７ａが略等しい間隔で離間した位置に形成されており、切り欠き９１７ａが形成されていない部分では、素子基板１１および対向基板１２と枠部９３との間隙に導電物層４０は充填されていない。なお、切り欠き９１７ｃは、平面視において円弧状に形成されている。
【００６７】
また、導電物層４０は、対向基板１２の第２面１２ｂの側の端部に被さるように形成されており、対向基板１２の第２面１２ｂの側において、導電物層４０は、表面側導電膜１８の表面および側端面に接して表面側導電膜１８と導通している。
【００６８】
このように構成した電気光学装置１００において、金属ケース９２はグランド電位（定電位）に保持されている。このため、導電物層４０は、金属ケース９２を介してグランド電位（定電位）に保持され、表面側導電膜１８は、導電物層４０を介してグランド電位（定電位）に保持されている。それ故、対向基板１２の帯電を防止することができる。
【００６９】
また、枠部９３には、枠部９３と対向基板１２との間隙幅を局所的に拡大する切り欠き９１７ｃが形成され、かかる切り欠き９１７ｃの内部では、金属ケース９２の側板部９２７が露出しているとともに、かかる切り欠き９１７ｃの内部に導電物層４０が充填されている。このため、支持体９の枠部９３と対向基板１２との間に十分な量の導電物層４０（導電ペースト）を充填することができるとともに、表面側導電膜１８を短い経路で金属ケース９２に導通させることができるので、対向基板１２の帯電を確実に防止することができる。
【００７０】
［実施の形態３の変形例］
図１５（ａ）、（ｂ）は各々、本発明の実施の形態３の変形例に係る電気光学装置を、図１２のＥ４−Ｅ４′線、およびＦ４−Ｆ４′線に相当する位置で切断したときの様子を模式的に示す断面図である。なお、本形態の基本的な構成は、実施の形態３において、両面テープ２２に代えて導電テープ２８を用い、素子基板１１の第２面１１ｂには帯電防止用の裏面側導電膜１９を形成した構造であり、その他の構成は、実施の形態１〜３と同様であるため、共通する部分には同一の符号を付して図示し、それらの説明を省略する。
【００７１】
本形態の電気光学装置１００においても、実施の形態１、２、３と同様、対向基板１２は基体が透光性の絶縁基板１２０からなり、その第２面１２ｂには、その全面および略全面にＩＴＯ膜やＩＺＯ膜などからなる透光性の表面側導電膜１８が形成されている。また、図１５（ａ）、（ｂ）に示すように、素子基板１１の第２面１１ｂ（絶縁基板１１０の裏面側）には、実施の形態２と同様、その全面あるいは略全面に裏面側導電膜１９が形成されており、かかる裏面側導電膜１９には、絶縁基板１１０の３辺に沿うように導電テープ２８が貼付されている。
【００７２】
本形態においては、実施の形態３と同様、支持体９において、枠部９３の内面を構成する樹脂ケース９１の側板部９１７には、側板部９１７を厚さ方向（内外方向）に貫通する切り欠き９１７ｃが形成されており、かかる内部では、金属ケース９２の側板部９２７が露出している。また、複数の切り欠き９１７ｃの内部（素子基板１１および対向基板１２と枠部９３との間隙）には導電物層４０が充填されている。
【００７３】
かかる導電物層４０は、対向基板１２の第２面１２ｂの側の端部に被さるように形成されており、表面側導電膜１８と導通している。従って、表面側導電膜１８を定電位（グランド電位）に保持することができるので、対向基板１２が帯電することを防止することができる。
【００７４】
また、導電物層４０は、切り欠き９１７ｃの底部で導電テープ２８と導通しているので、裏面側導電膜１９を定電位（グランド電位）に保持することができる。それ故、絶縁部材（下側偏光板１５ｂ、散乱板２６、プリズムシート２５、プリズムシート２４、散乱板２３、導光板６）が帯電することを防止することができる。
【００７５】
［他の実施の形態］
上記実施の形態では、表面側導電膜１８および裏面側導電膜１９を導電物層４０を介してグランド電位に保持したが、グランド電位以外の定電位に保持してもよい。この場合、電気光学装置１００で用いられている定電位を用いれば、別途、電源回路を設ける必要がないという利点がある。
【００７６】
上記実施の形態では、両面に導電性の接着剤層が形成された両面テープを用いたが、図９に示す構成あるいは図１１に示す構成の場合には、導電テープ２８の一方面側の導電性のみを利用している。このような場合には、片面のみに導電性の接着剤層が形成され、他方の面に絶縁性の接着剤層が形成された両面テープを用いてもよい。また、図９に示す構成あるいは図１１に示す構成の場合には、導電テープ２８の一方面側の導電性のみを利用しているので、片面のみに導電性の接着剤層が形成され、他方の面には接着剤層が形成されていない片面テープを用い、素子基板１１との樹脂ケース９１との接着は、導電性の接着層を備えていない両面テープを導電テープと樹脂ケース９１との間に挿入してもよい。
【００７７】
上記実施の形態では、導電テープ２８や両面テープ２２が素子基板１１との樹脂ケース９１とを接着する機能を担っていたが、導電テープ２８や両面テープ２２によって素子基板１１と光学シートとを接着してもよい。
【００７８】
上記実施の形態では、液晶パネル１を用いた電気光学装置１００に本発明を適用した例を説明したが、有機エレクトロルミネッセンス装置やイメージセンサなどの電気光学装置において、素子基板に対応するように対向基板を封止基板やカバーとして配置されているような電気光学装置において対向基板が帯電するのを阻止する目的で本発明を適用してもよい。
【００７９】
［電子機器への搭載例］
次に、上述した実施形態に係る電気光学装置１００を適用した電子機器について説明する。図１６（ａ）に、電気光学装置１００を備えたモバイル型のパーソナルコンピュータの構成を示す。パーソナルコンピュータ２０００は、表示ユニットとしての電気光学装置１００と本体部２０１０を備える。本体部２０１０には、電源スイッチ２００１及びキーボード２００２が設けられている。図１６（ｂ）に、電気光学装置１００を備えた携帯電話機の構成を示す。携帯電話機３０００は、複数の操作ボタン３００１及びスクロールボタン３００２、並びに表示ユニットとしての電気光学装置１００を備える。スクロールボタン３００２を操作することによって、電気光学装置１００に表示される画面がスクロールされる。図１６（ｃ）に、電気光学装置１００を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１００を備える。電源スイッチ４００２を操作すると、住所録やスケジュール帳といった各種の情報が電気光学装置１００に表示される。
【００８０】
なお、電気光学装置１００が適用される電子機器としては、図１６に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、銀行端末などの電子機器などが挙げられる。そして、これらの各種電子機器の表示部として、前述した電気光学装置１００が適用可能である。
【図面の簡単な説明】
【００８１】
【図１】本発明の実施の形態１に係る電気光学装置の平面図である。
【図２】本発明の実施の形態１に係る電気光学装置の分解斜視図である。
【図３】（ａ）、（ｂ）は各々、本発明の実施の形態１に係る電気光学装置を、図１のＡ１−Ａ１′線、およびＢ１−Ｂ１′線に相当する位置で切断したときの様子を模式的に示す断面図である。
【図４】（ａ）、（ｂ）は各々、本発明の実施の形態１に係る電気光学装置を、図１のＣ１−Ｃ１′線、およびＤ１−Ｄ１′線に相当する位置で切断したときの様子を模式的に示す断面図である。
【図５】（ａ）、（ｂ）は各々、本発明の実施の形態１に係る電気光学装置を、図１のＥ１−Ｅ１′線、およびＦ１−Ｆ１′線に相当する位置で切断したときの様子を模式的に示す断面図である。
【図６】（ａ）、（ｂ）は各々、本発明の実施の形態１に係る電気光学装置を、図１のＥ２−Ｅ２′線、およびＦ２−Ｆ２′線に相当する位置で切断したときの様子を模式的に示す断面図である。
【図７】本発明の実施の形態２に係る電気光学装置の分解斜視図である。
【図８】（ａ）、（ｂ）は各々、本発明の実施の形態２に係る電気光学装置を、図１のＡ１−Ａ１′線、およびＢ１−Ｂ１′線に相当する位置で切断したときの様子を模式的に示す断面図である。
【図９】本発明の実施の形態２の変形例１に係る電気光学装置において、導電テープとフレキシブル基板との接続構造を示す断面図である。
【図１０】本発明の実施の形態２の変形例２に係る電気光学装置において、導電テープとフレキシブル基板との接続構造を示す断面図である。
【図１１】本発明の実施の形態２の変形例３に係る電気光学装置において、導電テープと金属ケースとの接続構造を示す断面図である。
【図１２】本発明の実施の形態３に係る電気光学装置の平面図である。
【図１３】本発明の実施の形態３に係る電気光学装置の分解斜視図である。
【図１４】（ａ）、（ｂ）は各々、本発明の実施の形態３に係る電気光学装置を、図１２のＥ４−Ｅ４′線、およびＦ４−Ｆ４′線に相当する位置で切断したときの様子を模式的に示す断面図である。
【図１５】（ａ）、（ｂ）は各々、本発明の実施の形態３の変形例に係る電気光学装置を、図１２のＥ４−Ｅ４′線、およびＦ４−Ｆ４′線に相当する位置で切断したときの様子を模式的に示す断面図である。
【図１６】本発明に係る入力機能付き表示装置を用いた電子機器の説明図である。
【符号の説明】
【００８２】
１・・液晶パネル（電気光学パネル）、３・・点状光源、６・・導光板（絶縁部材）、７・・フレキシブル基板（配線基板）、８・・照明装置、９・・支持体、１１・・素子基板（第１の基板）、１２・・対向基板（第２の基板）、１４・・液晶、１５ａ・・上側偏光板、１５ｂ・・下側偏光板、１６・・画素電極、１７・・共通電極、１８・・表面側導電膜（第１の導電膜）、１９・・裏面側導電膜（第２の導電膜）、２２・・両面テープ、２３、２６・・散乱板（絶縁部材）、２４、２５・・プリズムシート（絶縁部材）、２８・・導電テープ、４０・・導電物層、７４２、７５２、７８２・・導電パターン（グランドパターン）、９１・・樹脂ケース、９２・・金属ケース、９３・・支持体の枠部、１００・・電気光学装置（液晶装置）、９１１・・樹脂ケースの段部、９１７・・樹脂ケースの側板部、９１７ａ、９１７ｃ・・切り欠き、９２７・・金属ケースの側板部、１１０・・素子基板の基体たる絶縁基板、１２０・・対向基板の基体たる絶縁基板
【図１】
2010032954.tif 000003
【図２】
2010032954.tif 000004
【図３】
2010032954.tif 000005
【図４】
2010032954.tif 000006
【図５】
2010032954.tif 000007
【図６】
2010032954.tif 000008
【図７】
2010032954.tif 000009
【図８】
2010032954.tif 000010
【図９】
2010032954.tif 000011
【図１０】
2010032954.tif 000012
【図１１】
2010032954.tif 000013
【図１２】
2010032954.tif 000014
【図１３】
2010032954.tif 000015
【図１４】
2010032954.tif 000016
【図１５】
2010032954.tif 000017
【図１６】
2010032954.tif 000018